(57)【要約】      （修正有）【課題】帽子に傾斜センサーを装着し猫背及び頭部前傾の姿勢を警報によって知らせる猫背矯正警報器具を提供する。更に、身体に傾斜センサーを装着しダンス時の腕、肩の崩れを警報によって知らせる姿勢矯正警報器具を提供する。【解決手段】（１）  帽子１の側面に傾斜スイッチ２を設け、その庇に発光ダイオード３を設ける。（２）  身体胸部に傾斜スイッチ２を装着する。【選択図】図１
2007014738.tif 000002
【特許請求の範囲】
【請求項１】
電池とランプ及び傾斜によって開閉するスイッチからなるセンサーを帽子と組合わせたことを特徴とする姿勢矯正警報器。
【請求項２】
電池と音響装置及び傾斜によって開閉するスイッチからなる請求項１の姿勢矯正警報器
【請求項３】
傾斜によって開閉するスイッチの装着角度を自由に調整可能にしたことを特徴とする請求項１の姿勢矯正警報器。
【請求項４】
請求項１、２、３、の装置を、ワンタッチで装着可能にしたことを特徴とするダンス練習用姿勢矯正警報器。
【発明の詳細な説明】
【技術分野】
【０００１】  本発明は、帽子と傾斜センサーの組合体による猫背姿勢矯正およびダンスの姿勢矯正に関する。
【背景技術】
【０００２】  従来、姿勢矯正器具には特許第２８３５３０１号、実公：平５−２９７０５号等広報に記載されてい方式のものが大半である、これらは背板部材を肩当てベルトを用い襷に或いはリュックに背負い装着する。また実開：平３−５６４６６の様に保持部材で背中、腕等を保持固定させるものがある。
【発明の開示】
【発明が解決しようとする課題】
【０００３】  しかしながら、これらは次のような欠点があった。
（イ）  背板をベルトで背負う方式の姿勢矯正器具は背板で肩甲骨を圧迫して胸を張らせるのであるが、その反面背負いベルトの締付けにより肩峰及び上腕が後方に強く牽引され怒り肩になり胸部だけが不自然に前に突出する。しかも猫背姿勢の最大の課題である頭部前傾に関して何も対策が講じられていない為に頭部は前傾したままでありまるでペンギンの様な姿勢になる欠点があった。
（ロ）  また、上記平３−５６４６６の様に保持部材を用いてのダンス姿勢矯正器具を使用した場合には次の様な課題が生じていた。これらの器具は姿勢の崩れを単に支え棒等保持部材で崩れを防止するのであるから、姿勢を正しく保つ意識に欠け必要とする作用筋の習熟鍛練が出来ない。保持部材を外した後に肩、腕の上がり過ぎ、下がり過ぎ背筋の曲がり等の逆に器具依存症の弊害を生じた。さらにダンスの練習においては狭いフロアで各々が一緒に踊るために、上記のような堅くて大きな部材を装着している人の中で練習するとは危険を伴い種々問題があった。本発明は、これらの欠点をすべて取り除き自らに注意を促すことにより自然に姿勢を矯正するためになされたものである。
【課題を解決するための手段】
【０００４】（１）  帽子▲１▼の側面に傾斜スイッチ▲２▼を設け、ランプ▲３▼電池▲４▼電源スイッチ▲５▼で一対をなす警告灯を帽子の庇に装着する。
（２）  胸部等身体着衣の一部に傾斜スイッチを装着しダンス姿勢の矯正に使用する。
本発明は、以上のような構成よりなる猫背姿勢矯正警報器である。
【発明を実地するための最良の形態】
【０００５】  以下、本案の実地の形態について図面に基づいて詳細に説明する。
（イ）  図１は，本発明の第１実施例を示す斜視図である。
帽子▲１▼の側面に図３で示している傾斜スイッチ▲２▼をマジックテープ▲１２▼と▲１２▼’で係止させる。この傾斜スイッチは各々が着帽する時の角度に伴い水平に装着出来るようにマジックテープを用いているが、他のアジャスターを用いることも可能である。庇裏部位には、電池▲４▼及び電源スイッチ▲５▼と一対となる警報ランプ▲３▼を装着しケーブル▲６▼により傾斜スイッチ▲７▼と接続している。正しい姿勢を構えた位置で傾斜スイッチがＯＦＦ、猫背姿勢になった時は即座に傾斜スイッチがＯＮし、警報ランプ▲３▼が発光し警告を発する。
（ロ）  図２は，第２実施例を示す装着図である。
着衣胸部に傾斜スイッチ▲２▼をマジックテープ▲１２▼と▲１２▼’で係止させ左手親指に前記第１実施例で示した警報ランプ▲３▼を装着している。これは社交ダンスの正しいホールドを男性に習熟させるためのものであり腕及び肩の上がり過ぎ、下がり過ぎによりホールドが崩れたとき左手に取着した警報ランプ▲３▼が発光し警告を発する。ランプの取着場所は見える場所なら何処でもよいがダンスのホールド姿勢の頭の向きから考えればこの装着が最適である。
（ハ）  図３は、上記実施例第１及び第２で述べた傾斜スイッチ▲２▼の断面図である。電導性円筒管▲７▼の片端内部に▲８▼、▲８▼’の電極を設け、電導性の球体▲９▼を挿入し絶縁体▲１０▼▲１０▼’で密閉し、絶縁被覆収縮チューブ▲１１▼により円筒管全体を被覆して傾斜スイッチを構成させマジックテープ▲１２▼で覆っている。円筒管▲７▼が傾斜すると球体▲９▼が転がり電極▲８▼と▲８▼’がＯＮとなる。電導性円筒管▲７▼は非電導性でもよい。また、傾斜スイッチとして公知であるリードスイッチを用いてもよい。
（ニ）  図４は、傾斜センサーの配線図である。傾斜スイッチ▲２▼、警報ランプ▲３▼、電池▲４▼、電源スイッチ▲５▼を直列配線している。警報ランプ▲３▼は発光ダイオードを使用しているがその他のランプまたはブザー等を使用してもよい、しかし消費電力を考えると発光ダイオードを用いるのが最良である。
（ホ）  図５は傾斜スイッチ▲２▼をマジックテープ▲１２▼’に結合した図である。
傾斜スイッチの表面を覆っているマジックテープ▲１２▼とで結合している。第１図の帽子、第２図の胸部に使用している装着部位の拡大図あり角度は自由に調整して取着出来る。
【発明の効果】
【０００６】  本発明の姿勢矯正指示警報器は、上記のような構成からなるものであって、これを帽子に装着使用すれば、猫背及び頭部の前傾に対して警報ランプが点灯し正常な姿勢に戻すように知らせてくれる。またダンスの練習に於ては上記の他に胸部等着衣に装着すれば、肩、腕、頭、などの姿勢の崩れを警報ランプにより知らせてくれる。
【発明の効果】
【０００７】  発明は以上のような構造で、これを猫背姿勢及び前傾姿勢の崩れ矯正に使用するときは次の手順で行う。
（１）  装着前に正しい姿勢を確認する。
まず、壁、柱等の垂直に建った構造物を背面にして踵を５センチ程度離し踵に重心を置きながら直立の姿勢で立つ、次に背中と頭を構造物にしっかり付けて顎を引き身長を計るときの姿勢になる。次に重心を足のボール部分に移すことにより背中、頭は壁等構造物から離れ自然体の美しい正しい姿勢で立つ事が出来る。この姿勢が出来ない人は正しい姿勢に近づけることが望ましい。
（２）  帽子装着の傾斜スイッチ▲２▼の調整。
帽子▲１▼をかぶり傾斜スイッチは正しい姿勢でＯＦＦ、崩れの起始点でＯＮするように警報ランプの点滅をみながら装着位置を調整する。
（３）  使用時正しい姿勢が崩れると警報ランプが点灯しその都度姿勢矯正を促す。繰り返し、繰り返し、正しい姿勢を習熟させることにより作用筋である胸鎖乳突筋、僧帽筋等が正常に強化され頸椎並びに脊柱を正常な位置に戻すため猫背姿勢および頭部前傾が矯正される。
【０００８】  社交ダンスにおいて肩、腕の上がり過ぎ下がり過ぎで踊る人は、図２の装置を使用することにより上記問題を解決することが出来る。肩、腕の上がり過ぎには電極を左にし、下がり過ぎの人は電極を右にし胸部鎖骨下側の着衣に取着して使用する。図１の帽子と図２を併用すれば猫背姿勢も同時に矯正することができる。
【０００９】  本発明装置は極めて小型で且つ簡単に装着継続使用出来ため姿勢矯正効果には大いに役立つものである。
【図面の簡単な説明】
【図１】  本発明の第１実施の形態の姿勢矯正機能を備える帽子の斜視図である。
【図２】  本発明の第２実施の形態の装着方法を示す正面図である。
【図３】  本発明の姿勢矯正方法に使用される傾斜スイッチの構成を示す図である。
【図４】  本発明の実施例を示す配線図である。
【図５】  本発明の姿勢矯正方法に使用される傾斜スイッチの取着を示す正面図である。
【符号の説明】
▲１▼  帽子
▲２▼  傾斜スイッチ
▲３▼  ランプ
▲４▼  電池
▲５▼  電源スイッチ
▲６▼  配線ケーブル
▲７▼  円筒管
▲８▼  電極
▲８▼’  電極
▲９▼  電導性の球体
▲１０▼  絶縁体
▲１０▼’  絶縁体
▲１１▼  絶縁被覆チューブ
▲１２▼  マジックテープ
▲１２▼’  マジックテープ
【図１】
2007014738.tif 000003
【図２】
2007014738.tif 000004
【図３】
2007014738.tif 000005
【図４】
2007014738.tif 000006
【図５】
2007014738.tif 000007